(57)【要約】【課題】棚板を、支柱の上方や背面側に配設する際の利便性および外観の向上を図ることができるととともに、棚板上の載置物の落下をも防止しうるようにした棚装置を提供する。【解決手段】左右１対の支柱４の前面に係止した前方を向く左右１対のブラケット６上に、棚板７を載置してなる棚装置８において、棚板７の後端が支柱４の前後方向の中間位置に位置する後退位置と、棚板７の後端が支柱４の前面と整合する前進位置との２位置において、棚板７をブラケット６に対して係止しうる係止手段２９を、ブラケット６と棚板７との間に設ける。【選択図】  図３
2010178884.tif 000002
【特許請求の範囲】
【請求項１】
左右１対の支柱の前面に係止した前方を向く左右１対のブラケット上に、棚板を載置してなる棚装置において、
棚板の後端が前記支柱の前後方向の中間位置に位置する後退位置と、棚板の後端が前記支柱の前面と整合する前進位置との２位置において、棚板をブラケットに対して係止しうる係止手段を、前記ブラケットと棚板との間に設けたことを特徴とする棚装置。
【請求項２】
棚板の下面が支柱の上端面と整合するようにして、棚板を前進位置においてブラケットをもって支持し、かつ棚板の後端より後方における支柱の上端に、棚板の厚さとほぼ等しい厚さの閉塞部材を、着脱自在に取り付けた請求項１記載の棚装置。
【請求項３】
閉塞部材の左右方向の幅を、支柱の左右方向の幅とほぼ同一とし、かつ、前進位置としたときの棚板の後端に、棚板の上面とほぼ等高なす水平片と、この水平片の後端から起立する起立片とを備え、かつ左右方向の長さを、左右の支柱の上端に設けた閉塞部材間の間隔より小とした落ち止め部材を着脱自在に取り付けた請求項２記載の棚装置。
【請求項４】
左右１対の支柱の後面に、前面に設けたブラケットおよび棚板等と同一のものを、前面側のものと前後対称をなすように設けた請求項１〜３のいずれかに記載の棚装置。
【請求項５】
左右の支柱の上端部における対向面の前後方向の中央部同士を、前後幅を支柱の前後幅より小とした横杆により連結し、かつ支柱の前後に配設した棚板の対向端に、各棚板の上面とほぼ等高をなして互いに向き合う方向に水平に延出する水平片と、この水平片の後端から起立する起立片とを備える落ち止め部材をそれぞれ着脱自在に取り付け、この対向する両落ち止め部材の起立片間の間隔を、前記横杆の前後幅より大とした請求項４記載の棚装置。
【発明の詳細な説明】
【技術分野】
【０００１】
本発明は、左右１対の支柱の前面に係止した前方を向く左右１対のブラケット上に、棚板を、前後位置変更可能として載置してなる棚装置に関する。
【背景技術】
【０００２】
商品陳列棚等において、左右１対の支柱の前面に係止した前方を向く左右１対のブラケット上に、棚板を、前後位置変更可能として載置したものがある(例えば、特許文献１〜４参照)。
【先行技術文献】
【特許文献】
【０００３】
【特許文献１】特開平９−１０８０７５号公報
【特許文献２】特開２００１−１７２３９号公報
【特許文献３】特開２００２−１４２９３０号公報
【特許文献４】特開２００７−１５１６９５号公報
【発明の概要】
【発明が解決しようとする課題】
【０００４】
特許文献２を除く上記特許文献に記載されている発明は、いずれも棚板を、支柱の前方における前後２位置に、変更可能として取り付けるようにしたものであり、棚板を、支柱の上方に配設したり、支柱の背面側にも棚板を装着したりすることに関しては、全く配慮されていない。
【０００５】
特許文献２に記載されている発明においては、棚板を、バックボードの上方に配設するようになっているが、バックボードの背面側に配設することに関しては、全く配慮されていない。
しかも、特許文献２に記載されているブラケットは、支柱に直接係止するのではなく、左右１対の支柱同士を連結する左右方向を向く支持杆に係合させるようになっており、ブラケットの支持構造が複雑であり、しかもその後方には、バックボードが配設されているので、その背面に棚板を装着することは不可能である。
【０００６】
本発明は、従来の技術が有する上記のような問題点に鑑み、棚板を、支柱の上方や背面側に配設する際の利便性および外観の向上を図ることができるととともに、棚板上の載置物の落下をも防止しうるようにした棚装置を提供することを目的としている。
【課題を解決するための手段】
【０００７】
本発明によると、上記課題は、次のようにして解決される。
(１)  左右１対の支柱の前面に係止した前方を向く左右１対のブラケット上に、棚板を載置してなる棚装置において、棚板の後端が前記支柱の前後方向の中間位置に位置する後退位置と、棚板の後端が前記支柱の前面と整合する前進位置との２位置において、棚板をブラケットに対して係止しうる係止手段を、前記ブラケットと棚板との間に設ける。
【０００８】
このような構成とすると、棚板を、支柱の上方に配設したり、背面側にも配設したりする際に、ブラケットに対する棚板の前後位置を変更することにより、棚板の支持態様を変更することができ、もって利便性および外観の向上を図ることができる。
例えば、複数の棚板を、それらの前縁が上下方向に揃うように支持することができるとともに、支柱の上方に配設した最上段の棚板を、後退位置として、その後端部が支柱の上端を覆うように配設したり、支柱の背面側にも棚板を配設する場合には、最上段の前後の棚板の対向端部同士を互いに突き合わせて、または近接させて、支柱の上端を覆うように配設したり、または最上段の前後の棚板の対向端部同士を、支柱の前後幅だけ互いに離間させて、前後の棚板を支柱の上方に配設したりすることができ、棚板のレイアウトを、用途や周囲の状況等に応じて、最適な状態に変更することができる。
【０００９】
(２)  上記(１)項において、棚板の下面が支柱の上端面と整合するようにして、棚板を前進位置においてブラケットをもって支持し、かつ棚板の後端より後方における支柱の上端に、棚板の厚さとほぼ等しい厚さの閉塞部材を、着脱自在に取り付ける。
【００１０】
このような構成とすると、棚板の後方かつ支柱の上方に形成される空所を、閉塞部材により閉塞するので、外観をよくすることができる。
【００１１】
(３)  上記(２)項において、閉塞部材の左右方向の幅を、支柱の左右方向の幅とほぼ同一とし、かつ、前進位置としたときの棚板の後端に、棚板の上面とほぼ等高なす水平片と、この水平片の後端から起立する起立片とを備え、かつ左右方向の長さを、左右の支柱の上端に設けた閉塞部材間の間隔より小とした落ち止め部材を着脱自在に取り付ける。
【００１２】
このような構成とすると、閉塞部材と落ち止め部材とを、それらが互いに干渉し合うことなく、支柱の上方に体裁よく配設することができるとともに、棚板に載置した物品が棚板から後方に落下するのを防止することができ、しかも、落ち止め部材が、棚板後部の補強部材となって、棚板の強度を高めることができる。
【００１３】
(４)  上記(１)〜(３)項のいずれかにおいて、左右１対の支柱の後面に、前面に設けたブラケットおよび棚板等と同一のものを、前面側のものと前後対称をなすように設ける。
【００１４】
このような構成とすると、支柱の前面側だけでなく、背面側にも物品を載置することができ、物品の収容能力を倍増することができるとともに、棚板のレイアウトをより多様化することができる。
【００１５】
(５)  上記(４)項において、左右の支柱の上端部における対向面の前後方向の中央部同士を、前後幅を支柱の前後幅より小とした横杆により連結し、かつ支柱の前後に配設した棚板の対向端に、各棚板の上面とほぼ等高をなして互いに向き合う方向に水平に延出する水平片と、この水平片の後端から起立する起立片とを備える落ち止め部材をそれぞれ着脱自在に取り付け、この対向する両落ち止め部材の起立片間の間隔を、前記横杆の前後幅より大とする。
【００１６】
このような構成とすると、前後の落ち止め部材と横杆とが干渉するのを避けることができるとともに、支柱の上端より下方に配設する棚板の後端にも、落ち止め部材を設けることができる。
【発明の効果】
【００１７】
本発明によると、棚板を、支柱の上方や背面側に配設する際の利便性および外観の向上を図ることができるととともに、棚板上の載置物の落下を防止しうるようにした棚装置を提供することができる。
【図面の簡単な説明】
【００１８】
【図１】本発明の一実施形態を備える上棚付き連結机の外観斜視図である。
【図２】同じく、一部を分解して示す拡大斜視図である。
【図３】同じく、要部の拡大分解斜視図である。
【図４】同じく、左側部の平面図である。
【図５】図４のV−V線に沿う縦断側面図である。
【図６】(ａ)〜(ｅ)は、棚板の互いに異なる支持態様を示す概略縦断側面図である。
【発明を実施するための形態】
【００１９】
以下、本発明の一実施形態を、添付図面を参照して説明する。  
図１に示す上棚付き連結机は、天板支持体１上に、複数(図４の例では４枚)の天板２を、所要の間隙３を隔てて前後に向き合わせて、かつ左右方向に並べて、載置して固定するとともに、複数の支柱４を、前後の天板２、２間の間隙３を通って上方に突出するようにして立設し、左右に離間する支柱４、４の上端部同士を、図２および図３に示すように、前後幅を支柱４の前後幅より小とした左右方向を向く横杆５をもって互いに連結し、さらに、左右に隣接する支柱４、４の前後面に係止した前後方向を向く左右１対のブラケット６、６上に棚板７を載置することにより、前後および左右２枚ずつの４枚の棚板７を備える棚装置８を形成したものとしてある。
【００２０】
天板支持体１の基本構造は、前後方向を向く板状の左右１対の側脚９、９と、中間脚１０とを、左右方向を向く横杆(図示略)をもって連結したものよりなっているが、その構造は本発明には直接関係しないので、それについての詳細な説明は省略する。
【００２１】
図３に示すように、各支柱４は、前後方向に長い角管よりなり、その前後両面の左右方向の中央には、上下方向を向く凹条１１が設けられており、各凹条１１の奥端面には、縦長の複数の係止孔１２が、上下方向に等間隔をもって設けられている。
支柱４の上端は、閉塞板１３により閉塞されており、閉塞板１３には、前後１対の円形の係合孔１４、１４が設けられている。
【００２２】
支柱４の前面側に取り付けられるブラケット６は、前後方向に長い側面視ほぼ三角形の基片１５と、この基片１５の後端に上下方向に並べて設けられた１個の上向係止片１６および複数の下向係止片１７と、基片１５の上端より側方に折曲形成された水平受片１８と、この水平受片１８の後部の側縁より上向きに折曲形成された側面視前向鉤形をなす後部係止爪１９と、水平受片１８の前部正面に切り起こされた側面視前向鉤形をなす前部係止爪２０とを備えている。
支柱４の背面側に取り付けられるブラケット６は、前後の向きが上記の説明と逆になる。
【００２３】
各ブラケット６は、図５に示すように、その上向係止片１６を、支柱４における最上段(または任意)の係止孔１２の上縁の後方に位置するようにして、その下方に続く複数の下向係止片１７を、対応する係止孔１２の下縁に係合させることにより、水平受片１８の上面が支柱４の上端面と整合するか、またはそれより下方に位置するようにして、支柱４の前面および後面に取り付けられる。
【００２４】
棚板７は、平面視横長方形の上面板２１の前後および左右の縁に、下向折り返し片２２を設け、かつ上面板２１の下面に、側面視上向コ字状部を有する前後１対の補強部材２３、２４を固着したものよりなっている。
【００２５】
前後の補強部材２３、２４の両側部下面には、図５および図６(ａ)に示すように、棚板７の後端が支柱４の前面と整合する前進位置に位置しているとき、ブラケット６における前後部係止爪２０、１９に前縁部が係合するようにした前後１対の係合孔２５、２６と、図６(ｂ)に示すように、棚板７の後端が支柱４の前後方向の中央(またはその近く)に位置する後退位置に位置しているとき、ブラケット６における前後部係止爪２０、１９に前縁部が係合するようにした前後１対の係合孔２７、２８とが設けられている(図３〜図５参照)。
前部係止爪２０は、その先端部とブラケット６の水平受片１８の上面との間で、棚板７における前方の係合孔２５、２７の前縁を弾圧把持して、棚板７の前方への移動を阻止する弾性係止爪としておくのがよい。
【００２６】
ブラケット６における前後部係止爪２０、１９と、棚板７における係合孔２５〜２８とにより、棚板７を、前進位置と後退位置とにおいてブラケット６に対して係止しうる係止手段２９が形成されている。
なお、棚板７の下面に、側面視後向鉤形とした前後部係止爪を設け、それに対向するブラケット６の上面に、棚板７が後退位置と前進位置との両位置に位置したとき、後縁が前後部係止爪と係合するようにした係合孔を設けてもよい。
また、棚板７を、前進位置と後退位置とにおいて、ブラケット６に取付ねじをもって取り付けてもよい。
【００２７】
図１〜図５に示すように、前後の棚板７、７を前進位置(支柱４の背面側の棚板７は、前面側の棚板と前後対称となる)としたときに、支柱４の上端における前後の棚板７、７の対向端部間に形成される空間は、平面視正方形または長方形をなし、左右方向の幅を、支柱４の左右方向の幅とほぼ同一とし、かつ厚さを棚板７の厚さと同一とした前後２個の閉塞部材３０、３０により閉塞しうるようにしてある。
【００２８】
各閉塞部材３０の下面中央には、底面視十字状の下向突起３０ａが突設され、これを支柱４の上端における係合孔１４に圧嵌することにより、各閉塞部材３０は、支柱４の上端に着脱自在に取り付けられるようになっている。
【００２９】
前進位置としたときの棚板７の後端面には、落ち止め部材３１における垂直の取付片３１ａが、ねじ止めまたはその他の止着手段をもって、着脱自在に取り付けられている。
この落ち止め部材３１は、上記取付片３１ａと、この取付片３１ａの上端より後方に向けて折曲形成され、かつ棚板７の上面とほぼ等高なす水平片３１ｂと、この水平片３１ｂの後端から起立する起立片３１ｃとからなっている。
【００３０】
落ち止め部材３１の左右方向の長さは、左右の支柱４、４の上端に設けた閉塞部材３０、３０間の間隔とほぼ同一か、またはそれより小としてあり、落ち止め部材３１が、閉塞部材３０と干渉しないようにしてある。
【００３１】
また、図５に示すように、支柱４の前後にそれぞれ前進位置として配設した棚板７、７の対向端にそれぞれ落ち止め部材３１、３１を設けたとき、この対向する両落ち止め部材３１、３１の起立片３１ｃ、３１ｃ間の間隔Ｄは、横杆５の前後幅Ｗより大となるようにしてある。
これによって、前後の落ち止め部材３１、３１と横杆５とが干渉するのを避けることができるとともに、支柱４の上端より下方に配設する棚板７の後端にも、落ち止め部材３１を設けることができるようにしてある(図６(ｃ)参照)
【００３２】
この棚装置８のような構成とすると、棚板７を、支柱４の上方に配設したり、背面側にも配設したりする際に、ブラケット６に対する棚板７の前後位置を変更することにより、棚板７の支持態様を、図６(ａ)および図６(ｂ)に示す示す態様だけでなく、図６(ｃ)に示すように、図６(ａ)と同様の態様における前後の棚板７のいずれか(または両方)の下方に、落ち止め部材３１を設けた別の棚板７を、支柱４の適宜の高さ位置に係止したブラケット６をもって支持したり、図６(ｄ)に示すように、支柱４の前面のみに棚板７を、後退位置(または前進位置)として装着し、そのときの棚板７の後方における支柱４の上端の後半部を、１個の閉塞部材３０をもって閉塞したり、そのときの棚板７の後端に、図６(ｅ)に示すように、落ち止め部材３１を設けたりして、棚板７のレイアウトを、用途や周囲の状況等に応じて、最適な状態に変更することができる。
【符号の説明】
【００３３】
１  天板支持体
２  天板
３  間隙
４  支柱
５  横杆
６  ブラケット
７  棚板
８  棚装置
９  側脚
１０  中間脚
１１  凹条
１２  係止孔
１３  閉塞板
１４  係合孔
１５  基片
１６  上向係止片
１７  下向係止片
１８  水平受片
１９  後部係止爪
２０  前部係止爪
２１  上面板
２２  下向折り返し片
２３、２４  補強部材
２５、２６、２７、２８  係合孔
２９  係止手段
３０  閉塞部材
３０ａ下向突起
３１  落ち止め部材
３１ａ取付片
３１ｂ水平片
３１ｃ起立片
【図１】
2010178884.tif 000003
【図２】
2010178884.tif 000004
【図３】
2010178884.tif 000005
【図４】
2010178884.tif 000006
【図５】
2010178884.tif 000007
【図６】
2010178884.tif 000008